(57)【要約】【課題】本発明の目的は、発光面等への水の付着が簡単な構造によって抑制されるディスプレイ装置を提供することにある。【解決手段】図柄が描かれた陽画フィルム１２を収納し、陽画フィルム１２を背面照射することで図柄を発光表示するディスプレイ装置１において、光源１５と、面発光部材１６と、面発光部材用枠部材１７と、透明カバー１１と、透明カバー用枠部材１３と、ヒンジ部材１８と、を備え、面発光部材用枠部材１７が、面発光部材１６の端縁よりも見付け方向の枠外寄りに配置され、見込み方向に延びる壁部１７２と、壁部１７２よりも見付け方向の枠外寄りに配置され、枠外から浸入してきた水を所定の排水口１３４へと流す排水路１７４，１７９と、を有していることを特徴とする。【選択図】図２
2015138234.tif 000002
【特許請求の範囲】
【請求項１】
図柄が描かれた陽画フィルムを収納し、該陽画フィルムを背面照射することで前記図柄を発光表示するディスプレイ装置において、
光源と、
矩形板形状を有し前記光源からの光を端縁に受け入れて面発光する面発光部材と、
前記面発光部材の端縁を該端縁の近傍に配置された前記光源とともに保持する面発光部材用枠部材と、
矩形板形状を有する透明カバーと、
前記透明カバーの端縁を保持する透明カバー用枠部材と、
前記面発光部材用枠部材の枠外で前記面発光部材のいずれか１つの端縁と略平行に延びる開閉軸を中心として、前記透明カバーが前記面発光部材の発光面に対して開閉自在となるように、前記透明カバー用枠部材を前記面発光部材用枠部材に支持するヒンジ部材と、を備え、
前記面発光部材用枠部材が、
前記面発光部材の端縁よりも見付け方向の枠外寄りに配置され、見込み方向に延びる壁部と、
前記壁部よりも見付け方向の枠外寄りに配置され、該枠外から浸入してきた水を所定の排水口へと流す排水路と、を有していることを特徴とするディスプレイ装置。
【請求項２】
当該ディスプレイ装置が立った姿勢で使用されるものであり、
前記面発光部材用枠部材が、前記立った姿勢のときに上下左右それぞれに位置する４本の枠部材からなり、該４本の枠部材それぞれが前記水を流す水路を有し、前記排水路は、該４本の枠部材それぞれの水路が連通してなることを特徴とする請求項１記載のディスプレイ装置。
【請求項３】
前記排水路が、見付け方向に複数列、あるいは見込み方向に複数列、略平行に配置されていることを特徴とする請求項１又は２記載のディスプレイ装置。
【請求項４】
前記壁部が、前記排水路よりも見込み方向外側に延びて形成されることを特徴とする請求項１から３のうちいずれか１項記載のディスプレイ装置。
【請求項５】
前記壁部は、前記面発光部材の端縁及び前記光源の両方との間に間隔を空けて設けられていることを特徴とする請求項１から４のうちいずれか１項記載のディスプレイ装置。
【請求項６】
前記透明カバー用枠部材が、前記面発光部材の発光面との間に間隔を空けて見込み方向に前記発光面と略平行に並び、且つ、前記面発光部材の端縁よりも見付け方向の枠内寄りに張り出した張出部を有していることを特徴とする請求項１から５のうちいずれか１項記載のディスプレイ装置。
【請求項７】
前記透明カバー用枠部材に設けられ、所定の操作を受けて前記透明カバーの開閉を禁止する錠部材を更に備えたことを特徴とする請求項１から６のうちいずれか１項記載のディスプレイ装置。
【請求項８】
前記枠外からの水の浸入を防ぐ為に、もしくは該水の浸入量を抑える為に、該水の浸入口付近にパッキングを設置したことを特徴とする請求項１から７のうちいずれか１項記載のディスプレイ装置。
【請求項９】
前記面発光部材が、両面発光する部材であり、
前記透明カバー、前記透明カバー用枠部材、前記ヒンジ部材、及び前記排水路が、前記面発光部材の両面それぞれの発光面に対応して各々一対ずつ設けられていることを特徴とする請求項１から８のうちいずれか１項記載のディスプレイ装置。
【請求項１０】
前記光源と、前記面発光部材と、前記面発光部材用枠部材と、前記透明カバーと、前記透明カバー用枠部材と、前記ヒンジ部材と、を備えたディスプレイ本体と、
前記ディスプレイ本体が立った姿勢となるように該ディスプレイ本体を支持するスタンド部材と、を備えたことを特徴とする請求項１から９のうちいずれか１項記載のディスプレイ装置。
【発明の詳細な説明】
【技術分野】
【０００１】
本発明は、図柄が描かれた陽画フィルムを収納し、該陽画フィルムを背面照射することで前記図柄を発光表示するディスプレイ装置に関するものである。
【背景技術】
【０００２】
従来、陽画フィルムに描かれた図柄を発光表示させるディスプレイ装置として、光源からの光を受け入れて面発光する面発光部材を備え、その面発光により陽画フィルムを背面照射するディスプレイ装置が知られている（例えば、特許文献１参照）。このようなディスプレイ装置では、多くの場合、陽画フィルムは、透明カバーと面発光部材の発光面との間に収納されている。透明カバーは、この透明カバーの端縁を保持する枠部材を介してディスプレイ装置のフレームに取り付けられている。
【０００３】
このようなディスプレイ装置の多くでは、陽画フィルムは、適宜に所望のものと交換される。そして、この陽画フィルムの交換を簡単なものとすべく、透明カバーの枠部材がヒンジを介してフレームに取り付けられており、透明カバーが発光面に対して開閉自在となったタイプのディスプレイ装置が知られている。
【先行技術文献】
【特許文献】
【０００４】
【特許文献１】特開２００９−４７９１６号公報
【発明の概要】
【発明が解決しようとする課題】
【０００５】
ところで、上記のようなディスプレイ装置は屋外に設置されることがある。この場合、ヒンジの周辺等に存在する隙間からの雨水等の水の浸入が想定される。このように浸入した水が、発光面や陽画フィルム等に付着するとディスプレイ装置における表示品質が低下してしまうことがある。このような水の発光面等への付着を抑える構造が設けられたディスプレイ装置もある。しかしながら、現状では、このような構造の多くは複雑なものとなりがちである。上記のような構造は、ディスプレイ装置の構成上、陽画フィルムや面発光部材の周囲を囲む、透明カバーの枠部材の内側に配置されることが多い。このため、このような構造を有するディスプレイ装置は、透明カバーの枠部材の見付けが大きく、また、その厚みも厚くなって、全体的に見栄えが良くないものなることが多い。このため、水の発光面等への付着が簡単な構造によって抑制されるディスプレイ装置が求められている。
【０００６】
本発明の目的は、発光面等への水の付着が簡単な構造によって抑制されるディスプレイ装置を提供することにある。
【課題を解決するための手段】
【０００７】
上記目的を達成する請求項１に記載の発明は、図柄が描かれた陽画フィルムを収納し、該陽画フィルムを背面照射することで前記図柄を発光表示するディスプレイ装置において、光源と、矩形板形状を有し前記光源からの光を端縁に受け入れて面発光する面発光部材と、前記面発光部材の端縁を該端縁の近傍に配置された前記光源とともに保持する面発光部材用枠部材と、矩形板形状を有する透明カバーと、前記透明カバーの端縁を保持する透明カバー用枠部材と、前記面発光部材用枠部材の枠外で前記面発光部材のいずれか１つの端縁と略平行に延びる開閉軸を中心として、前記透明カバーが前記面発光部材の発光面に対して開閉自在となるように、前記透明カバー用枠部材を前記面発光部材用枠部材に支持するヒンジ部材と、を備え、前記面発光部材用枠部材が、前記面発光部材の端縁よりも見付け方向の枠外寄りに配置され、見込み方向に延びる壁部と、前記壁部よりも見付け方向の枠外寄りに配置され、該枠外から浸入してきた水を所定の排水口へと流す排水路と、を有していることを特徴とするディスプレイ装置となっている。
【０００８】
また、請求項２に記載の発明は、請求項１記載のディスプレイ装置において、当該ディスプレイ装置が立った姿勢で使用されるものであり、前記面発光部材用枠部材が、前記立った姿勢のときに上下左右それぞれに位置する４本の枠部材からなり、該４本の枠部材それぞれが前記水を流す水路を有し、前記排水路は、該４本の枠部材それぞれの水路が連通してなることを特徴とする。
【０００９】
また、請求項３に記載の発明は、請求項１又は２記載のディスプレイ装置において、前記排水路が、見付け方向に複数列、あるいは見込み方向に複数列、略平行に配置されていることを特徴とする。
【００１０】
また、請求項４に記載の発明は、請求項１から３のうちいずれか１項記載のディスプレイ装置において、前記壁部が、前記排水路よりも見込み方向外側に延びて形成されることを特徴とする。
【００１１】
また、請求項５に記載の発明は、請求項１から４のうちいずれか１項記載のディスプレイ装置において、前記壁部は、前記面発光部材の端縁及び前記光源の両方との間に間隔を空けて設けられていることを特徴とする。
【００１２】
また、請求項６に記載の発明は、請求項１から５のうちいずれか１項記載のディスプレイ装置において、前記透明カバー用枠部材が、前記面発光部材の発光面との間に間隔を空けて見込み方向に前記発光面と略平行に並び、且つ、前記面発光部材の端縁よりも見付け方向の枠内寄りに張り出した張出部を有していることを特徴とする。
【００１３】
また、請求項７に記載の発明は、請求項１から６のうちいずれか１項記載のディスプレイ装置において、前記透明カバー用枠部材に設けられ、所定の操作を受けて前記透明カバーの開閉を禁止する錠部材を更に備えたことを特徴とする。
【００１４】
また、請求項８に記載の発明は、請求項１から７のうちいずれか１項記載のディスプレイ装置において、前記枠外からの水の浸入を防ぐ為に、もしくは該水の浸入量を抑える為に、該水の浸入口付近にパッキングを設置したことを特徴とする。
【００１５】
また、請求項９に記載の発明は、請求項１から８のうちいずれか１項記載のディスプレイ装置において、前記面発光部材が、両面発光する部材であり、前記透明カバー用枠部材、前記透明カバー、前記ヒンジ部材、及び前記排水路が、前記面発光部材の両面それぞれの発光面に対応して各々一対ずつ設けられていることを特徴とする。
【００１６】
また、請求項１０に記載の発明は、請求項１から９のうちいずれか１項記載のディスプレイ装置において、前記光源と、前記面発光部材と、前記透明カバーと、前記透明カバー用枠部材と、前記ヒンジ部材と、を備えたディスプレイ本体と、前記ディスプレイ本体が立った姿勢となるように該ディスプレイ本体を支持するスタンド部材と、を備えたことを特徴とする。
【発明の効果】
【００１７】
請求項１に記載の発明によれば、仮にヒンジ部材における開閉軸の周辺の隙間から雨水等の水が浸入したとしても、面発光部材の端縁よりも見付け方向の枠外寄りに配置され、見込み方向に延びる壁部と、その壁部よりも見付け方向の枠外寄りに配置された排水路という簡単な構造により、面発光部材等への水の付着を抑えることができる。
【００１８】
また、請求項２に記載の発明によれば、排水路が、ディスプレイ装置が立った姿勢のときに、上方から浸入してくる水が下方へと自然に流れる水路となっている。ディスプレイ装置の屋外設置は、立った姿勢で行われることが多く、請求項２に記載の発明によれば、このような屋外設置に際し水の排水が良好に促されることから、面発光部材等への水の付着が一層抑えられることとなる。
【００１９】
また、請求項３に記載の発明では、開閉軸の周辺から浸入してきた水は、まず、開閉軸に最も近い排水路を流れる。このとき、仮にこの排水路から水が溢れたとしても、その排水路よりも壁部側に別の排水路が設けられていることから、溢れた水をその別の排水路によって受け止めて流すことができる。つまり、請求項３に記載の発明によれば、排水路が１つだけ設けられている場合に比べて、面発光部材等への水の付着が一層抑えられることとなる。
【００２０】
また、請求項４に記載の発明では、壁部が、排水路よりも見込み方向外側に延びて形成されている。これにより、仮に排水路から水が溢れたとしても、その排水路よりも上記のように延びた壁部により、面発光部材の発光面や光源、そして陽画フィルムへの水の付着が抑えられる。つまり、請求項４に記載の発明によっても、面発光部材等への水の付着が一層抑えられることとなる。
【００２１】
また、請求項５に記載の発明では、壁部は、面発光部材の端縁及び光源の両方との間に間隔を空けて設けられている。面発光部材は、環境温度等の影響により膨張収縮することがある。請求項５に記載の発明によれば、壁部と、面発光部材の端縁及び光源の両方との間に間隔があいているので、仮に面発光部材が膨張収縮したとしても、壁部との接触等が回避されることとなる。
【００２２】
また、請求項６に記載の発明では、透明カバー用枠部材が、面発光部材の発光面との間に間隔を空けて見込み方向に発光面と略平行に並び、且つ、前記面発光部材の端縁よりも見付け方向の枠内寄りに張り出した張出部を有しているので、光源に近い面発光部材の端部に生じることがある発光ムラが、透明カバー用枠部材によって隠される。これにより、ディスプレイ装置における表示品質が向上することとなる。
【００２３】
また、請求項７に記載の発明によれば、透明カバーの開閉を禁止する錠部材を備えることで、例えば収納している陽画フィルムの盗難等を防止することができる。
【００２４】
また、請求項８に記載の発明によれば、パッキングによって、枠外からの水の浸入が防がれるか、あるいは、その浸入量が抑えられる。これにより、面発光部材等への水の付着が一層抑えられることとなる。
【００２５】
また、請求項９に記載の発明では、排水路が、面発光部材の両面それぞれの発光面に対応して一対設けられている。このため、いずれの発光面側のヒンジ部材の開閉軸の周辺から水が浸入してきたとしても、各発光面等への水の付着が抑えられることとなる。このように、請求項９に記載の発明によれば、両面発光の面発光部材を利用して表裏両面で図柄を発光表示するディスプレイ装置において、いずれの発光面等についても水の付着を抑えることができる。
【００２６】
また、請求項１０に記載の発明によれば、スタンド部材を備えることで、設置態様として採用されることが多い表示面が立った姿勢でのディスプレイ装置の設置を容易に行うことができる。
【図面の簡単な説明】
【００２７】
【図１】本発明の第１実施形態にかかるディスプレイ装置を示す斜視図である。
【図２】図１に示されているディスプレイ装置における、図１中のＡ−Ａ断面を示す図である。
【図３】光源の配列形態の別例を示す図である。
【図４】２つの連結金具による連結構造を示す図である。
【図５】ヒンジ部材の固定構造を示す図である。
【図６】図１に示されているディスプレイ装置における、図１中のＢ−Ｂ断面を示す図である。
【図７】スタンド部材に保持させるための保持構造における部材を示す図である。
【図８】図１及び図２示すディスプレイ装置における排水構造について説明する図である。
【図９】図１及び図２示すディスプレイ装置における排水経路を模式的に示す図である。
【図１０】本発明の第２実施形態にかかるディスプレイ装置を示す斜視図である。
【図１１】図１０に示されているディスプレイ装置における、図１０中のＣ−Ｃ断面を示す図である。
【図１２】光源及び面発光部材それぞれの寸法や相対位置の組合せの別例を示す図である。
【発明を実施するための形態】
【００２８】
本発明の第１実施形態にかかるディスプレイ装置を、図１〜図９を参照して説明する。図１は、本発明の第１実施形態にかかるディスプレイ装置を示す斜視図である。図１に示されているディスプレイ装置１は、ディスプレイ本体１０と、スタンド部材３０と、を備えている。
【００２９】
ディスプレイ本体１０は、矩形板状の外形を有し、その表裏両面が表示面となっている。このディスプレイ本体１０は、図１に示されているように左右に配置されたスタンド部材３０によって略鉛直方向に立った姿勢で支持されている。ディスプレイ本体１０は、表裏それぞれの表示面が矩形板形状を有する透明カバー１１で覆われている。表裏各表示面の透明カバー１１の内側には、所望の図柄が描かれた陽画フィルム１２が収納されている。このディスプレイ本体１０では、後述の発光面によって表裏各表示面の陽画フィルム１２が背面照射されることによって、各陽画フィルム１２の図柄が各表示面に透明カバー１１越しに発光表示される。このように本実施形態のディスプレイ装置１は、立った姿勢のディスプレイ本体１０の表裏両面に所望の図柄が表示される両面表示タイプのディスプレイ装置となっている。
【００３０】
ここで、表裏各表示面の透明カバー１１は、４辺からなるその端縁が、矩形状を有するカバー用枠部材１３によって保持されている。このカバー用枠部材１３に保持された各透明カバー１１は、後述するように、立った姿勢のディスプレイ本体１０の上辺に沿った開閉軸を中心に、図中に矢印で示された開閉方向Ｄ１，Ｄ２に開閉されるようになっている。そして、ディスプレイ本体１０の内部への陽画フィルム１２の収納や、既に収納されている陽画フィルム１２の交換等の際に、透明カバー１１が開閉される。
【００３１】
また、各カバー用枠部材１３における、立った姿勢のディスプレイ本体１０の下辺側となる部分に、所定の操作を受けて各透明カバー１１の開閉を禁止する錠部材１４が取り付けられている。この錠部材１４により、例えば収納している陽画フィルム１２の盗難等が防止されている。
【００３２】
図２は、図１に示されているディスプレイ装置における、図１中のＡ−Ａ断面を示す図である。尚、図２では、スタンド部材３０については図示が省略されている。また、この図２には、ディスプレイ本体１０について見付け方向Ａｘ１と見込み方向Ａｘ２とが、それぞれ矢印で示されている。ディスプレイ本体１０は、閉じられた状態の透明カバー１１及びカバー用枠部材１３で区画される空間の内部に、ＬＥＤ光源１５と、面発光部材１６と、面発光部材用枠部材１７と、ヒンジ部材１８と、上記の陽画フィルム１２と、が位置している。
【００３３】
面発光部材１６は、矩形板形状を有し両面で発光する部材であり、導光板１６１と、拡散シート１６２と、乳板１６３と、を備えている。導光板１６１は、矩形板形状を有しＬＥＤ光源１５からの光を端縁に受け入れて内部に光を行き渡らせる。本実施形態では、この導光板１６１は、その厚みが５．０ｍｍとなっている。この導光板１６１の表裏各面には、導光板１６１との間に拡散シート１６２を挟んで乳板１６３が貼付されている。拡散シート１６２には、光を拡散させるパターンが刻まれており、導光板１６１の内部を進む光を表裏各面の面外方向へと拡散させる。また、この拡散シート１６２によって面発光部材１６の表裏各面への、反対側の陽画フィルム１２の裏写りがなくされている。拡散された光は、乳板１６３を透過することで乳白色光となる。このような構成により、面発光部材１６の表裏両面は、裏写りをなくして乳白色光で面発光する発光面となっている。
【００３４】
面発光部材用枠部材１７は、面発光部材１６の４辺からなる端縁のうち上下２辺の端縁を、各端縁の近傍に配置されたＬＥＤ光源１５とともに保持する。
【００３５】
ここで、ＬＥＤ光源１５は、導光板１６１の上下２辺それぞれにつき複数ずつ、各辺に沿って配列されている。本実施形態では、複数のＬＥＤ光源１５が導光板１６１の各辺に沿って１列に配列されている。これら複数のＬＥＤ光源１５は、面発光部材１６の上下２辺それぞれに沿って延びる２本のＬＥＤケース１９に、光の射出部を導光板１６１の各辺に向けて収納されている。また、本実施形態では、導光板１６１に略直交する見込み方向Ａｘ２について、各ＬＥＤ光源１５の中央と導光板１６１の中央とが略一致するように、複数のＬＥＤ光源１５がＬＥＤケース１９に収納されている。
【００３６】
上下２本のＬＥＤケース１９及び面発光部材１６は、面発光部材１６の上下２辺それぞれに沿って延びる２本のＬ字部材２０によって一体的に連結されている。Ｌ字部材２０は、その断面形状が、図２に示されているようにＬ字型となっている。このＬ字部材２０の内壁面にＬＥＤケース１９の外面が接着固定されている。また、面発光部材１６の図２中で左側の発光面における上下２辺の縁部分がＬ字部材２０の内壁面に接着固定されている。これらの接着固定により、ＬＥＤケース１９及び面発光部材１６が一体的に連結されている。
【００３７】
尚、本実施形態では、ＬＥＤ光源の配列形態の一例として、導光板１６１の上下２辺それぞれにつき１列ずつ配列された形態が例示されている。しかしながら、本発明にいう光源の配列形態はこの形態に限るものではなく、例えば、以下に示すような別例の配列形態であってもよい。
【００３８】
図３は、光源の配列形態の別例を示す図である。この図３の別例では、導光板１６１’の厚みが、上述の第１実施形態における導光板１６１の厚み（５．０ｍｍ）よりも厚く、８．０ｍｍとなっている。一方、第１実施形態におけるＬＥＤ光源１５が、この別例でも光源として用いられている。ただし、この別例では、ＬＥＤ光源１５は、上記のように厚い導光板１６１’の上下２辺それぞれにつき２列ずつされている。この２列の配列形態は、ＬＥＤ光源１５を１列に収納するＬＥＤケース１９を、導光板１６１’の端縁に沿って見込み方向Ａｘ２に２列に並べることで実現されている。これら２列のＬＥＤケース１９の境界は、導光板１６１’の見込み方向Ａｘ２中央と略一致する。各列のＬＥＤ光源１５が、面発光部材１６’における各列のＬＥＤ光源１５に近い発光面の発光に寄与する。また、見込み方向Ａｘ２について、Ｌ字部材２０’と面発光部材１６’との寸法差を埋めるために両者の間にスペーサ２０ａ’が挟まれている。以上で、この図３の別例についての説明を終了し、第１実施形態のディスプレイ装置１についての説明に戻る。
【００３９】
図２に示されているように、面発光部材用枠部材１７は、ＬＥＤケース１９と面発光部材１６との一体化物を保持している。面発光部材用枠部材１７は、アルミニウムの押出し成形によって得られ、互いに同一の断面形状を有する上下一対の枠部材１７ａと左右一対の枠部材１７ｂ（図６に図示）とが枠状に組み合わされたものである。それら４本の枠部材１７ａ，１７ｂそれぞれが次のような構成を有している。各枠部材１７ａ，１７ｂは、矩形筒部１７１と、壁部１７２と、面発光部材保持部１７３と、を備えている。
【００４０】
矩形筒部１７１は、図２に示されているように、概ね、Ｃ字と逆Ｃ字が開口を外側に向けて背中合わせに繋がった断面形状を有している。尚、ここにいう逆Ｃ字とは単にＣ字の線対称の形状を意味しているに過ぎないので、以下では、Ｃ字と逆Ｃ字とについて特に区別せずに単にＣ字と表現する。面発光部材用枠部材１７が上記の一体化物を保持した状態では、図２に示されているように、断面形状における２つのＣ字が見込み方向Ａｘ２に並ぶとともに、それら２つのＣ字の境界が導光板１６１の見込み方向Ａｘ２中央と略一致する。
【００４１】
矩形筒部１７１において、上記のＣ字の内側に相当し、この矩形筒部１７１の長手方向に延びる２つの矩形状の空間は、ディスプレイ本体１０に浸入した雨水等の水を流す第１の水路１７４ａとなっている。面発光部材用枠部材１７では、４本の枠部材１７ａ，１７ｂそれぞれにおける第１の水路１７４ａが枠状に連通して第１の排水路１７４が形成されている。また、各枠部材１７ａ，１７ｂにおける第１の水路１７４ａは、４本の枠部材１７ａ，１７ｂどうしを、面発光部材用枠部材１７における４つのコーナー部において連結する２つの連結金具１７５，１７６の配置場所としても使われる。詳細については後述するが、２つの部材に亘って第１の水路１７４ａの中に配置された連結金具１７５，１７６に各枠部材１７ａ，１７ｂがネジ１７７によってネジ止めされることによって部材どうしの連結が行われる。
【００４２】
壁部１７２は、面発光部材用枠部材１７が上記の一体化物を保持した状態で、図２に示されているように、矩形筒部１７１とこの一体化物との間に位置している。即ち、壁部１７２は、面発光部材１６の端縁よりも見付け方向Ａｘ１枠外寄りに配置されている。そして、壁部１７２は、見込み方向Ａｘ２に延びている。また、この壁部１７２の、矩形筒部１７１側の面からは、見込み方向Ａｘ２に矩形筒部１７１の開口との間に間隔を空けて突出壁１７８が突出している。壁部１７２の矩形筒部１７１側には、この壁部１７２と、矩形筒部１７１と、突出壁１７８と、で囲まれてなる凹部が長手方向に延びている。この凹部が、ディスプレイ本体１０に浸入した水を流す第２の水路１７９ａとなっている。面発光部材用枠部材１７では、４本の枠部材１７ａ，１７ｂそれぞれにおける第２の水路１７９ａが枠状に連通して第２の排水路１７９が形成されている。
【００４３】
第２の排水路１７９は、上述した第１の排水路１７４と壁部１７２との間で、この第１の排水路１７４よりも見込み方向Ａｘ２外側にズレて形成されている。さらに、壁部１７２は、この第２の排水路１７９よりも、見込み方向Ａｘ２外側に更に外側に延びて形成されている。
【００４４】
面発光部材保持部１７３は、壁部１７２の、矩形筒部１７１側とは反対側の面から、その面に略直交して突出した壁であり、この面発光部材保持部１７３に、上記のＬ字部材２０が接着固定される。この面発光部材保持部１７３は、上記の矩形筒部１７１の断面形状における２つのＣ字の境界を導光板１６１の見込み方向Ａｘ２中央と略一致させる位置に設けられている。また、面発光部材保持部１７３には、見付け方向Ａｘ１について、壁部１７２とＬ字部材２０との間に６．５ｍｍの間隔を空けてＬ字部材２０が接着固定される。
【００４５】
面発光部材用枠部材１７を構成する４本の枠部材１７ａ，１７ｂのうち、ディスプレイ本体１０が立った姿勢のときに上側となる枠部材の矩形筒部１７１に２つのヒンジ部材１８が固定される。矩形筒部１７１の断面形状における２つのＣ字の開口に相当し長手方向に延びる切込みに、各ヒンジ部材１８が後述するようにネジ止め固定される。このネジ止めは、面発光部材用枠部材１７を構成する枠部材１７ａ，１７ｂどうしの連結に使われる連結金具１７５，１７６を利用して行われる。ヒンジ部材１８のネジ止めについては、枠部材１７ａ，１７ｂどうしの連結構造と一緒に後述する。
【００４６】
ヒンジ部材１８は、面発光部材用枠部材１７の枠外で、ディスプレイ本体１０が立った姿勢のときに面発光部材１６において上側となる端縁と略平行に延びる開閉軸１８１を備えている。ヒンジ部材１８は、この開閉軸１８１を中心として、透明カバー１１が面発光部材１６の発光面に対して、図２中にも矢印で示された開閉方向Ｄ１，Ｄ２に開閉自在となるように、カバー用枠部材１３を面発光部材用枠部材１７に支持する。また、開閉軸１８１は、導光板１６１の見込み方向Ａｘ２中央側に寄った位置に設けられている。これにより、２つのヒンジ部材１８に支持された２つのカバー用枠部材１３の間の隙間が抑えられている。
【００４７】
２つのカバー用枠部材１３それぞれも、面発光部材用枠部材１７と同様に、アルミニウムの押出し成形によって得られ、互いに同一の断面形状を有する上下一対の枠部材１３ａと左右一対の枠部材１３ｂ（図１に図示）とが枠状に組み合わされたものである。それら４本の枠部材１３ａ，１３ｂそれぞれが次のような構成を有している。各枠部材１３ａ，１３ｂは、外壁部１３１と、Ｃ字型円筒部１３２と、Ｃ字型角筒部１３３と、を備えている。
【００４８】
外壁部１３１には、透明カバー１１の端縁近傍が接着固定されるとともに、透明カバー１１の端縁と外壁部１３１の内面との間がコーキング材２１によって埋められている。これにより、カバー用枠部材１３と透明カバー１１との隙間からの雨水等の水の浸入が防がれている。外壁部１３１は、面発光部材１６の発光面との間に間隔を空けて見込み方向に発光面と略平行に並び、且つ、面発光部材１６の端縁よりも見付け方向Ａｘ１枠内寄りに張り出した張出部１３１ａを有している。これにより、見付け方向Ａｘ１について面発光部材１６の端縁から所定幅の範囲がこの外壁部１３１に隠れるようになっている。
【００４９】
Ｃ字型円筒部１３２は、図２に示されているように、概ね、Ｃ字（又は逆Ｃ字）の断面形状を有する円筒部分であり、カバー用枠部材１３の枠外側の端部に設けられている。４本の枠部材１３ａ，１３ｂのうちディスプレイ本体１０が立った姿勢のときに上側となる枠部材において、このＣ字型円筒部１３２は、上記のヒンジ部材１８の開閉軸１８１に回動自在に連結する軸受の役割を果たす。
【００５０】
Ｃ字型角筒部１３３は、図２に示されているように、概ね、Ｃ字（又は逆Ｃ字）の断面形状を有する角筒部分であり、透明カバー１１の端縁とＣ字型円筒部１３２との間に設けられている。このＣ字型角筒部１３３において、Ｃ字の内側に相当し、このＣ字型角筒部１３３の長手方向に延びる矩形状の空間は、カバー用枠部材１３をなす枠部材１３ａ，１３ｂどうしを、カバー用枠部材１３における４つのコーナー部において連結する連結金具の配置場所として使われる。尚、本実施形態では、このＣ字型角筒部１３３の矩形状の空間は、その断面形状が、上述した面発光部材用枠部材１７の矩形筒部１７１における第１の水路１７４ａの断面形状と同じ形状となっている。これにより、カバー用枠部材１３をなす枠部材１３ａ，１３ｂどうしが、面発光部材用枠部材１７をなす枠部材１７ａ，１７ｂどうしを連結する連結金具１７５，１７６と同じ連結金具１７５，１７６によって連結されることとなっている。
【００５１】
ここで、カバー用枠部材１３をなす４つの枠部材１３ａ，１３ｂのうち、ディスプレイ本体１０が立った姿勢のときに下側となる枠部材には、上述した錠部材１４の取付けのための貫通孔が開けられている。錠部材１４の外面の一部には雄ネジが切られており、上記の貫通孔に挿入された後、この雄ネジにナット１４ａが取り付けられることで錠部材１４がカバー用枠部材１３に固定される。また、この錠部材１４の、貫通孔に挿入される部分の先端には、所定の操作を受けて面発光部材用枠部材１７に係止することで、透明カバー１１の開閉を禁止する係止片１４ｂが取り付けられている。面発光部材用枠部材１７の壁部１７２には、この係止片１４ｂが入り込む切込み１７２ａが形成されている。
【００５２】
また、カバー用枠部材１３の下側の枠部材は、面発光部材用枠部材１７の矩形筒部分１７１の下方に当たる部分が切り欠かれて開口となっている。この開口は、後述するように下側の枠部材の第１の水路１７４ａや第２の水路１７９ａまで流れてきた水が外部に排出される排水口１３４となっている。
【００５３】
次に、２つの連結金具１７５，１７６による面発光部材用枠部材１７をなす枠部材１７ａ，１７ｂどうしの連結構造、及び、カバー用枠部材１３をなす枠部材１３ａ，１３ｂどうしの連結構造について説明する。尚、面発光部材用枠部材１７とカバー用枠部材１３とで、この連結構造は互いに共通となっている。そこで、以下では、この連結構造について、面発光部材用枠部材１７を例に挙げて説明を行う。
【００５４】
図４は、２つの連結金具による連結構造を示す図である。この連結構造は、面発光部材用枠部材１７の４つのコーナー部において、各コーナー部をなす２つの枠部材１７ａ，１７ｂの連結に用いられている。２つの連結金具１７５，１７６は、図２に示されているように、各枠部材１７ａ，１７ｂの内部に見込み方向Ａｘ２に重ねられて収められている。面発光部材用枠部材１７においては、矩形筒部１７１内の第１の水路１７４ａに収められている。図４（ａ）には、２つの連結金具１７５，１７６のうち第１の水路１７４ａの開口側に位置する第１の連結金具１７５が示されている。また、図４（ｂ）には、第１の排水路１７４の奥側に位置する第２の連結金具１７６が示されている。
【００５５】
第１の連結金具１７５及び第２の連結金具１７６は、互いに同等なＬ字形状を有している。Ｌ字をなす各腕は、面発光部材用枠部材１７のコーナー部をなす２つの枠部材１７ａ，１７ｂそれぞれの第１の水路１７４ａの内部に入り込む。そして、その入り込んだ各腕部に各枠部材１７ａ，１７ｂがネジ止めされることによって枠部材１７ａ，１７ｂどうしの連結が行われる。
【００５６】
第１の連結金具１７５には、ネジ１７７が捩じ込まれるネジ孔１７５ａが、コーナーを挟んで各枠部材１７ａ，１７ｂについて３つずつ長手方向に配列されている。また、コーナーには、ＬＥＤ光源１９への不図示の電源線等が通る貫通孔１７５ｂが設けられている。第２の連結金具１７６には、電源線等が通る貫通孔１７６ａのみが設けられている。
【００５７】
第１の水路１７４ａ内に収められた第１の連結金具１７５のネジ孔１７５ａにネジ１７７が捩じ込まれ、やがて、その先端が第２の連結金具１７６に当接すると、ネジ１７７が進めなくなる替りに第１の連結金具１７５が開口側へと移動する。これにより、この開口の縁が、ネジ１７７の頭と第１の連結金具１７５とによって締め付けられ、面発光部材用枠部材１７のコーナー部をなす枠部材１７ａ，１７ｂが、第１の連結金具１７５にネジ止めされる。このように、枠部材１７ａ，１７ｂどうしが第１の連結金具１７５を介して連結されることとなる。第２の連結金具１７６は、ネジ１７７の捩じ込みに当たって、第１の水路１７４ａの内壁が傷つかないように保護する役割を果たす。
【００５８】
図２に示すカバー用枠部材１３のコーナー部をなす枠部材１３ａ，１３ｂどうしの連結構造は、２つの連結金具１７５，１７６の収納場所が、図２に示されているようにＣ字型角筒部１３３の内部である点を除いて、上述した面発光部材用枠部材１７のコーナー部をなす枠部材１７ａ，１７ｂどうしの連結構造と同等である。
【００５９】
ここで、本実施形態では、上述したように、面発光部材用枠部材１７を構成する４本の枠部材１７ａ，１７ｂのうち、ディスプレイ本体１０が立った姿勢のときの上側の枠部材１７ａの矩形筒部１７１に２つのヒンジ部材１８が固定される。
【００６０】
図５は、ヒンジ部材の固定構造を示す図である。この図５には、面発光部材用枠部材１７において、ディスプレイ本体１０が立った姿勢のときの上側のコーナー部の１つについて、ヒンジ部材１８の固定構造が示されている。ヒンジ部材１８の長手方向両端近傍には、この図５に示されているように第１の連結金具１７５のネジ孔１７５ａに捩じ込まれるネジ１７７が通る不図示の貫通孔が設けられている。このヒンジ部材１８の貫通孔を通ったネジ１７７が、第１の連結金具１７５のネジ孔１７５ａに捩じ込まれることで、ヒンジ部材１８は、第１の水路１７４ａの開口の縁とともに共締めされることとなる。ヒンジ部材１８の長手方向両端近傍においてこのような共締めが行われて、ヒンジ部材１８が上部材の矩形筒部１７１に固定される。
【００６１】
また、本実施形態では、図１に示されているように、ディスプレイ本体１０は、立った姿勢でスタンド部材３０に保持される。ディスプレイ本体１０における、この立った姿勢のときの左右の側面には、ディスプレイ本体１０をスタンド部材３０に保持させるための保持構造が設けられている。
【００６２】
図６は、図１に示されているディスプレイ装置における、図１中のＢ−Ｂ断面を示す図である。面発光部材用枠部材１７をなす４つの枠部材１７ａ，１７ｂのうち、ディスプレイ本体１０が立った姿勢のときの左右側となる２つの枠部材１７ｂそれぞれに、保持構造が設けられている。図７は、スタンド部材に保持させるための保持構造における部材を示す図である。
【００６３】
図６及び図７に示される保持構造は、レール突起２２と、レール突起２２の取付金具２３と、からなる。スタンド部材３０には、ディスプレイ本体１０側に開口したレール溝３１が設けられている。レール突起２２は、取付金具２３を介してディスプレイ本体１０に固定されるとともに、このレール溝３１にスライド移動自在に嵌め込まれる。取付金具２３は、図７に示されているように矩形板形状を有し、各短辺近傍に２つずつ合計４つのネジ用貫通孔２３ａが設けられている。ネジ用貫通孔２３ａは、皿ネジ２４のネジ頭が収まる形状を有している。さらに、ネジ用貫通孔２３ａよりも中央寄りに、２つのネジ孔２３ｂが設けられている。
【００６４】
面発光部材用枠部材１７の左右の枠部材１７ｂの矩形筒部１７１には、取付金具２３のネジ用貫通孔２３ａに対応した位置に貫通孔１７１ａが設けられている。ネジ用貫通孔２３ａ及び貫通孔１７１ａを貫通した皿ネジ２４にナット２５が取り付けられることで、取付金具２３が矩形筒部１７１に固定される。ここで、図６に示されているように、カバー用枠部材１３の左右の枠部材１３ｂは、Ｃ字型円筒部１３２が取付金具２３に干渉しないように、その開口部の縁が一部カットされている。
【００６５】
レール突起２２には、このレール突起２２を取付金具２３に固定する皿ネジ２７が貫通するネジ用貫通孔２２ａが設けられている。また、カバー用枠部材１３の左右の枠部材１３ｂにおけるＣ字型円筒部１３２における皿ネジ２７の通過域がカットされて開口１３２ａとなっている。ネジ用貫通孔２２ａ及び開口１３２ａを貫通した皿ネジ２７が、取付金具２３のネジ孔２３ｂに捩じ込まれる。更に、面発光部材用枠部材１７の矩形筒部１７１には、皿ネジ２７による固定強度を高めるためにネジ穴１７１ｂが設けられている。取付金具２３のネジ孔２３ｂを抜けた皿ネジ２７の先端が、この矩形筒部１７１のネジ穴１７１ｂに捩じ込まれる。これにより、レール突起２２が、Ｃ字型円筒部１３２を間に挟んで取付金具２３及び矩形筒部１７１にネジ止め固定されている。
【００６６】
レール突起２２は、上述したようにスタンド部材３０のレール溝３１にスライド移動自在に嵌め込まれている。本実施形態のディスプレイ装置１では、ディスプレイ本体１０を上下にスライドさせて、その高さを所望の高さに調整した後、不図示のネジにより、その高さに固定される。
【００６７】
スタンド部材３０によってディスプレイ本体１０が立った姿勢で保持される本実施形態のディスプレイ装置１が屋外に設置される場合、ディスプレイ装置１は、その屋外で雨にさらされることとなる。図２に示されているように、その外面が２つのカバー用枠部材１３で覆われたディスプレイ本体１０では、２つの開閉軸１８１に連結した２つのＣ字型円筒部１３２の間にはわずかに隙間が開いている。そして、この隙間が、屋外において雨水等の水の浸入口となることがある。このように浸入した水が、発光面や陽画フィルム等に付着するとディスプレイ装置における表示品質が低下してしまうことがある。
【００６８】
本実施形態では、まず、水の進入口を塞ぐべく、２つのＣ字型円筒部１３２の間の隙間と、矩形筒部１７１との間にパッキング４０が設置されている。このパッキング４０は、例えば３ｍｍ程の厚みが、押圧されると０．４ｍｍ程まで潰れる柔らかいゴムスポンジで形成されている。このゴムスポンジの一例としては、例えば株式会社イノアックコーポレーション製のゴムスポンジＥ−４１８８等が挙げられる。本実施形態では、パッキング４０によって、枠外からの水の浸入が防がれる、もしくは水の浸入量が抑えられる。そして、このパッキング４０でも防ぎきれずに浸入してくる水が、以下に説明する簡単な排水構造により排水されて、このような水の発光面等への付着を抑えられる。
【００６９】
図８は、図１及び図２示すディスプレイ装置における排水構造について説明する図である。この図８に示されているように雨水Ｒは、２つのＣ字型円筒部１３２の間の隙間から矢印Ｄ１が示すように浸入しようとする。この浸入は、上述したように、まずはパッキング４０によって防がれる。そして、パッキング４０でも防ぎきれずに浸入してくる水は、一旦、開閉軸１８１の下部に溜まった後、ヒンジ部材１８と矩形筒部１７１との隙間等から、この矩形筒部１７１の内部の第１の排水路１７４へと矢印Ｄ２が示すように流れ込む。また、第１の排水路１７４に流れ込んだ水の一部は、ヒンジ部材１８と矩形筒部１７１との隙間等から、壁部１７２における見付け方向Ａｘ１枠外側に設けられた第２の排水路１７９へと矢印Ｄ３が示すように流れ込む。即ち、面発光部材用枠部材１７の内部には、次のような経路を辿る排水路が２本形成されている。
【００７０】
図９は、図１及び図２示すディスプレイ装置における排水経路を模式的に示す図である。この図９に示されているように、面発光部材用枠部材１７の内部では、浸入した水は、上側の枠部材１７ａにおける第１の水路１７４ａを、矢印Ｄ４で示されているように、左右の枠部材１７ｂにおける第１の水路１７４ａに向かって左右に流れる。そして、左右の第１の水路１７４ａを、矢印Ｄ５で示されているように、下側の枠部材１７ａの第１の水路１７４ａに向かって下方に流れる。最後に、下側の枠部材１７ａの第１の水路１７４ａを左右に流れる。このとき、図２に示されているように、下側の枠部材１７ａの第１の水路１７４ａは開口したままとなっている。このため、この下側の第１の水路１７４ａを左右に流れる水は、開口から溢れて落下し、図２に示されている排水口１３４から外部に排出される。
【００７１】
また、上側の枠部材１７ａにおいて第１の排水路１７４から第２の排水路１７９へと流れ込んだ水も、図９において矢印Ｄ４，Ｄ５で示される経路を辿って、左右及び下方へと流れる。ここで、下側の枠部材１７ａにおける第２の水路１７９ａは、図２に示されているように下方に開口している。このため、水は、下側の第２の水路１７９ａに達した段階でそのまま落下し、図２に示されている排水口１３４から外部に排出される。
【００７２】
以上に説明したように第１実施形態のディスプレイ装置１によれば、仮にヒンジ部材１８における開閉軸１８１の周辺の隙間から雨水等の水が浸入したとしても、面発光部材１６の端縁よりも見付け方向Ａｘ１枠外寄りに配置されて見込み方向Ａｘ２に延びる壁部１７２と、その壁部１７２よりも見付け方向Ａｘ１枠外寄りに配置された第１及び第２の排水路１７４，１７９という簡単な構造により、面発光部材１６等への水の付着を抑えることができる。
【００７３】
また、このディスプレイ装置１によれば、第１及び第２の排水路１７４，１７９が、図９に示されるようにディスプレイ装置１が立った姿勢のときに、上方から浸入してくる水が下方へと自然に流れる水路となっている。このディスプレイ装置１によれば、屋外設置に際し水の排水が良好に促されることから、面発光部材１６等への水の付着が一層抑えられることとなる。
【００７４】
また、このディスプレイ装置１では、図８に示されているように、開閉軸１８１の周辺から浸入してきた水は、まず、開閉軸１８１に最も近い第１の排水路１７４に溜まって流れる。このとき、仮に第１の排水路１７４から矢印Ｄ３で示されているように水が溢れたとしても、第１の排水路１７４よりも壁部１７２側に第２の排水路１７９が設けられていることから、溢れた水をその第２の排水路１７９によって受け止めて流すことができる。つまり、このディスプレイ装置１によれば、排水路が１つだけ設けられている場合に比べて、面発光部材１６等への水の付着が一層抑えられることとなる。
【００７５】
また、このディスプレイ装置１では、壁部１７２が、図２に示されているように、第１及び第２の排水路１７４，１７９よりも見込み方向Ａｘ２外側に延びて形成されている。これにより、仮に第２の排水路１７４から水が溢れたとしても、その第２の排水路１７４よりも上記のように延びた壁部１７２により、面発光部材１６の発光面やＬＥＤ光源１５、そして陽画フィルム１２への水の付着が抑えられる。つまり、このディスプレイ装置１によっても、面発光部材１６等への水の付着が一層抑えられることとなる。
【００７６】
また、このディスプレイ装置１では、壁部１７２は、上述したように、面発光部材１６の端縁及びＬＥＤ光源１５の両方との間に２．０ｍｍの間隔を空けて設けられている。面発光部材１６は、環境温度等の影響により膨張収縮することがある。このディスプレイ装置１によれば、壁部１７２と、面発光部材１６の端縁及びＬＥＤ光源１５の両方との間に間隔が空いているので、仮に面発光部材１６が膨張収縮したとしても、壁部１７２との接触等が回避されることとなる。
【００７７】
また、このディスプレイ装置１では、透明カバー用枠部材１３が、面発光部材１６の発光面との間に間隔を空けて見込み方向に発光面と略平行に並び、且つ、面発光部材１６の端縁よりも見付け方向Ａｘ１枠内寄りに張り出した張出部１３１ａを有している。ここで、面発光部材１６においては、ＬＥＤ光源１５に近い端部に発光ムラが生じることがある。このディスプレイ装置１によれば、仮にこのような発光ムラが生じたとしても、上記のように張り出した透明カバー用枠部材１３によって発光ムラが隠される。これにより、ディスプレイ装置１における表示品質が向上することとなる。
【００７８】
また、このディスプレイ装置１によれば、透明カバー１１の開閉を禁止する錠部材１４を備えることで、例えば収納している陽画フィルム１２の盗難等を防止することができる。
【００７９】
また、このディスプレイ装置１によれば、パッキング４０によって、枠外からの水の浸入が防がれるか、あるいは、その浸入量が抑えられる。これにより、面発光部材１６等への水の付着が一層抑えられることとなる。
【００８０】
また、このディスプレイ装置１では、第１及び第２の排水路１７４，１７９が、面発光部材１６の両面それぞれの発光面に対応して一対ずつ設けられている。このため、いずれの発光面側のヒンジ部材１８の開閉軸１８１の周辺から水が浸入してきたとしても、各発光面等への水の付着が抑えられることとなる。このように、ディスプレイ装置１によれば、両面発光の面発光部材１６を利用して表裏両面で図柄を発光表示するディスプレイ装置１において、いずれの発光面等についても水の付着を抑えることができる。
【００８１】
また、このディスプレイ装置１によれば、図１に示されているように、スタンド部材３０を備えることで、設置態様として採用されることが多い表示面が立った姿勢でのディスプレイ装置１の設置を容易に行うことができる。
【００８２】
次に、本発明の第２実施形態にかかるディスプレイ装置を、図１０〜図１２を参照して説明する。尚、第２実施形態のディスプレイ装置５は、片面表示タイプであり、スタンド部材を備えず壁Ｗに掛けられて設置されるものである点を除いて、上述した第１実施形態のディスプレイ装置１と略同等である。そこで、以下では、第２実施形態のディスプレイ装置５について、第１実施形態のディスプレイ装置１との相違点に注目した説明を行う。また、図１０〜図１２では、図１〜図９に示されている第１実施形態のディスプレイ装置１の構成要素と同等な構成要素については、図１〜図９における符号と同じ符号が付されており、以下では、これら同等な構成要素についての重複説明を省略する。
【００８３】
図１０は、本発明の第２実施形態にかかるディスプレイ装置を示す斜視図であり、図１１は、図１０に示されているディスプレイ装置における、図１０中のＣ−Ｃ断面を示す図である。また、図１１には、第２実施形態のディスプレイ装置５について見付け方向Ａｘ３と見込み方向Ａｘ４とが、それぞれ矢印で示されている。第２実施形態のディスプレイ装置５は、壁Ｗに略鉛直方向に立った姿勢で掛けられて設置されるものであり、第１実施形態のディスプレイ装置１と同様の、透明カバー１１と、陽画フィルム１２と、カバー用枠部材１３と、ヒンジ部材１８と、を備えている。透明カバー１１は、カバー用枠部材１３によって、図中に矢印で示された開閉方向Ｄ１に開閉自在に保持されている。透明カバー１１がカバー用枠部材１３に貼付され、その周囲がコーキング材２１で埋められているのも第１実施形態のディスプレイ装置１と同様である。また、第１実施形態のディスプレイ装置１と同様に、カバー用枠部材１３には錠部材１４が取り付けられている。ここで、第２実施形態のディスプレイ装置５は、ＬＥＤ光源５１と、片面発光タイプの面発光部材５２と、面発光部材用枠部材５３と、背面板５４と、を備えている。
【００８４】
面発光部材５２は、矩形板形状を有し片面で発光する部材であり、導光板５２１と、乳板５２２と、アルミニウム反射板５２３と、を備えている。導光板５２１は、矩形板形状を有しＬＥＤ光源５１からの光を端縁に受け入れて内部に光を行き渡らせる。本実施形態でも、この導光板５２１は、その厚みが５．０ｍｍとなっている。この導光板５２１の一方の面には乳板５２２が貼付されている。導光板５２１の内部を進む光は、乳板５２２を透過することで拡散されて乳白色光となる。また、導光板５２１の他方の面に、アルミニウム反射板５２３が貼付されており、導光板５２１のこの他方の面へと向かう光を上記の一方の面へと反射する。このような構成により、面発光部材１６の一方の面が、乳白色光で面発光する発光面となっている。
【００８５】
面発光部材用枠部材５３は、面発光部材５２の４辺からなる端縁のうち上下２辺の端縁を、を各端縁の近傍に配置されたＬＥＤ光源５１とともに保持する。
【００８６】
ここで、ＬＥＤ光源５１は、導光板１６１の上下２辺それぞれにつき複数ずつ、各辺に沿って配列されている。複数のＬＥＤ光源５１は、導光板５２１の各辺に沿って１列に配列されている。これら複数のＬＥＤ光源５１は、面発光部材１６の上下２辺それぞれに沿って延びる２本のＬＥＤケース５５に、光の射出部を導光板５２１の各辺に向けて収納されている。また、本実施形態では、各ＬＥＤケース５５は、見付け方向Ａｘ３中央寄りに延びた形状となっており、この延びた部分が面発光部材１６の上下それぞれの縁に貼付されている。また、本実施形態では、見込み方向Ａｘ４について、各ＬＥＤ光源５１の中央と導光板５２１の中央とが略一致するように、複数のＬＥＤ光源５１がＬＥＤケース５５に収納されている。そして、これら上下一対のＬＥＤケース５５が背面板５４に貼付されている。背面板５４は、導光板５２１とＬＥＤケース５５とを合わせた広さよりも広い矩形板である。面発光部材５２は、この背面板５４にＬＥＤケース５５を介して取り付けられている。そして、この背面板５４が、面発光部材用枠部材５３によって、面発光部材５２の反対側から保持されている。
【００８７】
尚、光源及び面発光部材それぞれの寸法や相対位置の組合せは、図１１に示されている組み合わせに限るものではなく、例えば、以下に示すような別例の組合せであってもよい。
【００８８】
図１２は、光源及び面発光部材それぞれの寸法や相対位置の組合せの別例を示す図である。この図１２の別例では、導光板５２１’の厚みが、上述の第１実施形態における導光板１６１の厚み（５．０ｍｍ）よりも厚く、８．０ｍｍとなっている。さらに、光源として、図１１にも示されているＬＥＤ光源５１が、見込み方向Ａｘ４に２列配置されている。ＬＥＤケース５５’は、これら２列のＬＥＤ光源５１に合わせて大サイズのものとなっている。また、この別例では、乳板５２２’は、その端部がＬＥＤケース５５’に掛かっている。そして、ＬＥＤケース５５’は、見込み方向Ａｘ４について、ＬＥＤ光源５１における光射出口がアルミニウム反射板５２３に掛からない位置に、これら２列のＬＥＤ光源５１を保持している。これにより、２列のＬＥＤ光源５１からの光が余さず面発光部材５２’の面発光に生かされるようになっている。以上で、この図１２の別例についての説明を終了し、第２実施形態のディスプレイ装置５についての説明に戻る。
【００８９】
図１１に示されているように、面発光部材用枠部材５３は、ＬＥＤケース５５が貼付された背面板５４を保持している。面発光部材用枠部材５３は、アルミニウムの押出し成形によって得られ、互いに同一の断面形状を有する上下一対の枠部材と左右一対の枠部材（図１１には、上下一対の枠部材のみが示されている）とが枠状に組み合わされたものである。それら４本の枠部材それぞれが次のような構成を有している。各枠部材は、矩形筒部５３１と、壁部５３２と、背面板保持部５３３と、を備えている。
【００９０】
矩形筒部５３１は、図１１に示されているように、概ねＣ字（又は逆Ｃ字）の断面形状を有し、その開口が、カバー用枠部材１３のＣ字型角筒部１３３の開口に対向している。この矩形筒部５３１において、上記のＣ字の内側に相当し、この矩形筒部５３１の長手方向に延びる矩形状の空間は、ディスプレイ装置５に浸入した雨水等の水を流す第１の水路５３４ａとなっている。面発光部材用枠部材５３では、４本の枠部材それぞれにおける第１の水路５３４ａが枠状に連通して第１の排水路５３４が形成されている。そして、本実施形態でも、上述した第１実施形態と同様に、カバー用枠部材１３をなす部材どうし、及び、面発光部材用枠部材５３をなす部材どうしが、図４に示されている２つの連結金具１７５，１７６及びネジ１７７によって連結されている。上記の第１の水路５３４ａは、２つの連結金具１７５，１７６の配置場所としても使われている。
【００９１】
壁部５３２は、面発光部材用枠部材５３が背面板５４を保持した状態で、図１１に示されているように、面発光部材５２の端縁よりも見付け方向Ａｘ３枠外寄りに配置され、見込み方向Ａｘ４に延びる。また、この壁部５３２の、矩形筒部５３１側の面からは、見込み方向Ａｘ４に矩形筒部５３１の開口との間に間隔を空けて突出壁５３５が突出している。壁部５３２の矩形筒部５３１側には、この壁部５３２と、矩形筒部５３１と、突出壁５３５と、で囲まれてなる凹部が長手方向に延びている。この凹部が、ディスプレイ本体１０に浸入した水を流す第２の水路５３６ａとなっている。面発光部材用枠部材５３では、４本の枠部材それぞれにおける第２の水路５３６ａが枠状に連通して第２の排水路５３６が形成されている。
【００９２】
第２の排水路５３６は、上述した第１の排水路５３４と壁部５３２との間で、この第１の排水路５３４よりも見込み方向Ａｘ４外側にズレて略平行に形成されている。さらに、壁部５３２は、この第２の排水路５３６よりも、見込み方向Ａｘ４外側に更に外側に延びて形成されている。
【００９３】
面発光部材保持部５３３は、矩形筒部５３１から見付け方向Ａｘ３枠内側へと張り出した壁であり、この面発光部材保持部５３３に背面板５４が接着固定される。また、この面発光部材保持部５３３には、見付け方向Ａｘ３について、壁部５３２とＬＥＤケース５５との間に７．０ｍｍの間隔を空けて背面板５４が接着固定される。
【００９４】
面発光部材用枠部材５３を構成する４本の枠部材のうち、ディスプレイ装置５が立った姿勢のときの上側の枠部材の矩形筒部５３１にヒンジ部材１８が固定される。各ヒンジ部材１８は、矩形筒部５３１の断面形状における２つのＣ字の開口に相当し長手方向に延びる切込みに、上述した第１実施形態と同様に、２つの連結金具１７５，１７６及びネジ１７７を用いて固定される。
【００９５】
図１０に示されているようにディスプレイ装置５が立った姿勢で屋外の壁Ｗに設置される場合、ディスプレイ装置５は、その屋外で雨にさらされることとなる。図１１に示されているように、ディスプレイ装置５では、開閉軸１８１や、この開閉軸１８１に連結したＣ字型円筒部１３２の周囲が略露出している。このため、雨水等の水が、例えば面発光部材用枠部材５３とヒンジ部材１８との隙間等からディスプレイ装置５の内部に浸入することがある。このように浸入した水が、発光面や陽画フィルム等に付着するとディスプレイ装置における表示品質が低下してしまうことがある。
【００９６】
本実施形態でも、上述した第１実施形態と同様に、まず、水の進入口を塞ぐべく、Ｃ字型円筒部１３２と、矩形筒部５３１との間にパッキング４１が設置されている。このパッキング４１も、第１実施形態におけるパッキング４０を形成しているゴムスポンジと同様の柔らかいゴムスポンジで形成されている。本実施形態では、パッキング４１によって、枠外からの水の浸入が防がれる、もしくは水の浸入量が抑えられる。そして、このパッキング４１でも防ぎきれずに浸入してくる水が、上記の壁部５３２と、上記の第１及び第２の排水路５３４，５３６という簡単な構造により排水されて、このような水の発光面等への付着が抑えられる。
【００９７】
尚、本実施形態における第１及び第２の排水路５３４，５３６からなる排水構造は、図８を参照して説明した第１実施形態における第１及び第２の排水路１７４，１７９からなる排水構造と略同等である。即ち、上記のようにパッキング４１でも防ぎきれずに浸入してくる水は、第１の排水路５３４に流れ込む。また、第１の排水路５３４に溜まった水の一部は、ヒンジ部材１８と矩形筒部５３１との隙間等から第２の排水路５３６へと流れ込む。
【００９８】
また、本実施形態のディスプレイ装置５における排水経路も、図９を参照して説明した第１実施形態における排水経路と略同等である。即ち、浸入した水は、面発光部材用枠部材５３において、第１の排水路５３４を左右に流れ、さらに下方へと流れる。そして、下側の枠部材において第１の排水路５３４を左右に流れる際に開口から溢れて落下し、カバー用枠部材１３の排水口１３４から外部に排出される。また、上記の上部材において第１の排水路５３４から第２の排水路５３６へと流れ込んだ水も、左右、下方へと流れ、そのまま排水口１３４から外部に排出される。
【００９９】
このように、第２実施形態のディスプレイ装置５でも、上述した第１実施形態のディスプレイ装置１と同様に、壁部５３２と、第１及び第２の排水路５３４，５３６という簡単な構造により、面発光部材５２等への水の付着を抑えることができる。
【０１００】
尚、以上に説明した２つの実施形態では、いずれもディスプレイ装置が略鉛直方向に立った姿勢で設置された形態が例示されている。しかしながら、本発明のディスプレイ装置は、この形態に限るものではなく、例えば斜めに傾斜した状態で設置されるもの等であってもよい。
【０１０１】
また、上記の２つの実施形態では、上記の排水構造を活用すべく、いずれもディスプレイ装置が屋外に設置された形態が例示されている。しかしながら、その設置場所は、屋外に限るものではなく、もちろん屋内であっても構わない。
【０１０２】
また、上記の２つの実施形態では、導光板の厚み等について具体的な寸法が例示されている。しかしながら、本発明のディスプレイ装置における各部の寸法は、これに限るものではない。
【０１０３】
また、上記の２つの実施形態では、パッキングの材質について具体的な材質が例示されている。しかしながら、本発明のディスプレイ装置におけるパッキングの材質は、これに限るものではない。
【０１０４】
また、上記の２つの実施形態では、光源が面発光部材の上下の各端縁に沿って配列された形態が例示されている。しかしながら、光源の配列形態はこれに限るものではなく、面発光部材の左右の各端縁に沿って配列される形態であってもよく、あるいは、面発光部材のいずれか１辺の端縁に沿って配列される形態であってもい。
【０１０５】
また、上記の２つの実施形態では、本発明にいう排水路について、２本の排水路からなる形態が例示されている。しかしながら、本発明にいう排水路はこれに限るものではなく、本発明にいう排水路は、例えば１本の排水路のみからなる形態であってもよく、あるいは３本以上の排水路からなる形態であってもよい。
【０１０６】
また、上記の２つの実施形態では、本発明にいうスタンド部材について、ディスプレイ本体１０の左右の２辺を支持するスタンド部材３０が例示されている。しかしながら、本発明にいうスタンド部材は、これに限るものではない。本発明にいうスタンド部材は、例えば、ディスプレイ本体の下辺を支持するもの等であってもよく、ディスプレイ装置を立った姿勢で支持するものであれば、その具体的な指示態様を問うものではない。
【符号の説明】
【０１０７】
１，５  ディスプレイ装置
１０    ディスプレイ本体
１１    透明カバー
１２    陽画フィルム
１３    カバー用枠部材
１４    錠部材
１５，５１    ＬＥＤ光源
１６，５２    面発光部材
１７，５３    面発光部材用枠部材
１８    ヒンジ部材
３０    スタンド部材
４０，４１    パッキング
１３１ａ    張出部
１３４  排水口
１７２，５３２  壁部
１７４，５３４  第１の排水路
１７９，５３６  第２の排水路
１８１  開閉軸
【図１】
2015138234.tif 000003
【図２】
2015138234.tif 000004
【図３】
2015138234.tif 000005
【図４】
2015138234.tif 000006
【図５】
2015138234.tif 000007
【図６】
2015138234.tif 000008
【図７】
2015138234.tif 000009
【図８】
2015138234.tif 000010
【図９】
2015138234.tif 000011
【図１０】
2015138234.tif 000012
【図１１】
2015138234.tif 000013
【図１２】
2015138234.tif 000014